(57)【要約】【課題】画像の切り抜き操作の操作性を向上させることができるようにする。【解決手段】切り抜き枠設定部は、編集の対象となる編集対象画像の一部を切り抜くための切り抜き枠を設定し、画像編集部は、ユーザからの指示に応じて、編集対象画像上に重畳された切り抜き枠内の画像を編集し、切り抜き画像生成部は、編集対象画像から切り抜き枠内の画像を切り抜いて、切り抜き画像を生成する。本技術は、例えば、タッチパネルを有するタブレット型の電子機器に適用することができる。【選択図】図５
2014217032.tif 000002
【特許請求の範囲】
【請求項１】
編集の対象となる編集対象画像の一部を切り抜くための切り抜き枠を設定する切り抜き枠設定部と、
ユーザからの指示に応じて、前記編集対象画像上に重畳された前記切り抜き枠内の画像を編集する画像編集部と、
前記編集対象画像から前記切り抜き枠内の画像を切り抜いて、切り抜き画像を生成する切り抜き画像生成部と
を備える画像処理装置。
【請求項２】
前記切り抜き枠は、その形状が、前記編集対象画像上に設けられた円形のガイドに拘束されて変形される
請求項１に記載の画像処理装置。
【請求項３】
前記円形のガイドの中心位置は、同一平面上の所定の対象の中心位置と一致している
請求項２に記載の画像処理装置。
【請求項４】
前記円形のガイドの半径は、前記所定の対象の幅を基準として最大化された値となる
請求項３に記載の画像処理装置。
【請求項５】
前記所定の対象は、前記編集対象画像を表示する表示部の画面、前記編集対象画像の編集用のアプリケーションプログラムの画像表示領域、又は前記編集対象画像である
請求項４に記載の画像処理装置。
【請求項６】
前記切り抜き枠は、前記円形のガイドに内接しており、各頂点が前記円形のガイドに沿って移動することで、その形状が変形される
請求項２に記載の画像処理装置。
【請求項７】
前記切り抜き枠は、矩形の形状を有し、その４頂点が前記円形のガイドに沿って移動する
請求項６に記載の画像処理装置。
【請求項８】
前記切り抜き枠は、
前記円形のガイドの上側又は下側の弧を移動する２頂点と、中心点とがなす中心角が広げられたとき、その形状が各頂点の移動前よりも横長の形状となり、
前記中心角が狭められたとき、その形状が各頂点の移動前よりも縦長の形状となる
請求項７に記載の画像処理装置。
【請求項９】
前記切り抜き枠の横縦の比率は、各頂点の位置に応じて、あらかじめ定められた固定の比率となる
請求項８に記載の画像処理装置。
【請求項１０】
前記円形のガイド上には、前記固定の比率が変更される境界があらかじめ定められており、各頂点が移動して前記境界を超えたとき、前記固定の比率が変更される
請求項９に記載の画像処理装置。
【請求項１１】
前記固定の比率は、所定の規格で定められた画面アスペクト比に応じた比率である
請求項１０に記載の画像処理装置。
【請求項１２】
前記切り抜き枠の横縦の比率は、各頂点の位置に応じた任意の比率となる
請求項８に記載の画像処理装置。
【請求項１３】
前記編集対象画像は、タッチパネル上に表示され、
前記タッチパネル上でのタッチ操作に応じて、前記切り抜き画像が生成される
請求項１に記載の画像処理装置。
【請求項１４】
前記画像処理装置は、タブレット型の電子機器である
請求項１３に記載の画像処理装置。
【請求項１５】
前記円形のガイドは、非表示とされる
請求項２に記載の画像処理装置。
【請求項１６】
画像処理装置の画像処理方法において、
前記画像処理装置が、
編集の対象となる編集対象画像の一部を切り抜くための切り抜き枠を設定し、
ユーザからの指示に応じて、前記編集対象画像上に重畳された前記切り抜き枠内の画像を編集し、
前記編集対象画像から前記切り抜き枠内の画像を切り抜いて、切り抜き画像を生成する
ステップを含む画像処理方法。
【請求項１７】
コンピュータを、
編集の対象となる編集対象画像の一部を切り抜くための切り抜き枠を設定する切り抜き枠設定部と、
ユーザからの指示に応じて、前記編集対象画像上に重畳された前記切り抜き枠内の画像を編集する画像編集部と、
前記編集対象画像から前記切り抜き枠内の画像を切り抜いて、切り抜き画像を生成する切り抜き画像生成部と
して機能させるためのプログラム。
【発明の詳細な説明】
【技術分野】
【０００１】
本技術は、画像処理装置、画像処理方法、及び、プログラムに関し、特に、画像の切り抜き操作の操作性を向上させることができるようにした画像処理装置、画像処理方法、及び、プログラムに関する。
【背景技術】
【０００２】
近年のデジタルスチルカメラの普及に伴い、撮影後に、デジタルデータである撮影画像に編集処理を施すことが一般的に行われている。このような画像編集処理として、撮影画像の一部を矩形に切り抜いて、不要な部分を除去する画像切り抜き処理がある（例えば、特許文献１参照）。
【０００３】
例えば、図１に示すように、パーソナルコンピュータにおいて、画像編集用のアプリケーションプログラムを起動して画像編集をマウス操作により行う場合、まず、撮影画像の中から編集対象画像を選択して表示し、その編集対象画像上の切り抜きたい領域の角をクリックして基準位置を決定する。そして、その基準位置から対角線上にドラッグして任意の切り抜き枠を設定することで、その枠内の画像を切り抜くことができる。
【先行技術文献】
【特許文献】
【０００４】
【特許文献１】特開２００７−２８１６５０号公報
【発明の概要】
【発明が解決しようとする課題】
【０００５】
しかしながら、従来の技術であると、適切な切り抜き枠があらかじめ設定されていないため、ユーザは直感的に切り抜きの対象となる画像の内容や領域を理解し難い。また、近年、タッチパネルを有する電子機器が普及しているが、タッチパネル操作で画像編集を行う場合には、上述した画像の切り抜き操作であるとマウス操作が前提であって、操作性が悪くなるため、この点についての改善が要望されている。
【０００６】
本技術はこのような状況に鑑みてなされたものであり、画像の切り抜き操作の操作性を向上させることができるようにするものである。
【課題を解決するための手段】
【０００７】
本技術の一側面の画像処理装置は、編集の対象となる編集対象画像の一部を切り抜くための切り抜き枠を設定する切り抜き枠設定部と、ユーザからの指示に応じて、前記編集対象画像上に重畳された前記切り抜き枠内の画像を編集する画像編集部と、前記編集対象画像から前記切り抜き枠内の画像を切り抜いて、切り抜き画像を生成する切り抜き画像生成部とを備える。
【０００８】
前記切り抜き枠は、その形状が、前記編集対象画像上に設けられた円形のガイドに拘束されて変形される。
【０００９】
前記円形のガイドの中心位置は、同一平面上の所定の対象の中心位置と一致している。
【００１０】
前記円形のガイドの半径は、前記所定の対象の幅を基準として最大化された値となる。
【００１１】
前記所定の対象は、前記編集対象画像を表示する表示部の画面、前記編集対象画像の編集用のアプリケーションプログラムの画像表示領域、又は前記編集対象画像である。
【００１２】
前記切り抜き枠は、前記円形のガイドに内接しており、各頂点が前記円形のガイドに沿って移動することで、その形状が変形される。
【００１３】
前記切り抜き枠は、矩形の形状を有し、その４頂点が前記円形のガイドに沿って移動する。
【００１４】
前記切り抜き枠は、前記円形のガイドの上側又は下側の弧を移動する２頂点と、中心点とがなす中心角が広げられたとき、その形状が各頂点の移動前よりも横長の形状となり、前記中心角が狭められたとき、その形状が各頂点の移動前よりも縦長の形状となる。
【００１５】
前記切り抜き枠の横縦の比率は、各頂点の位置に応じて、あらかじめ定められた固定の比率となる。
【００１６】
前記円形のガイド上には、前記固定の比率が変更される境界があらかじめ定められており、各頂点が移動して前記境界を超えたとき、前記固定の比率が変更される。
【００１７】
前記固定の比率は、所定の規格で定められた画面アスペクト比に応じた比率である。
【００１８】
前記切り抜き枠の横縦の比率は、各頂点の位置に応じた任意の比率となる。
【００１９】
前記編集対象画像は、タッチパネル上に表示され、前記タッチパネル上でのタッチ操作に応じて、前記切り抜き画像が生成される。
【００２０】
前記画像処理装置は、タブレット型の電子機器である。
【００２１】
前記円形のガイドは、非表示とされる。
【００２２】
本技術の一側面の画像処理方法又はプログラムは、上述した本技術の一側面の画像処理装置に対応する画像処理方法又はプログラムである。
【００２３】
本技術の一側面の画像処理装置、画像処理方法、及び、プログラムにおいては、編集の対象となる編集対象画像の一部を切り抜くための切り抜き枠が設定され、ユーザからの指示に応じて、前記編集対象画像上に重畳された前記切り抜き枠内の画像が編集され、前記編集対象画像から前記切り抜き枠内の画像を切り抜いて、切り抜き画像が生成される。
【発明の効果】
【００２４】
本技術の一側面によれば、画像の切り抜き操作の操作性を向上させることができる。
【図面の簡単な説明】
【００２５】
【図１】従来の画像の切り抜き操作の流れを説明するための図である。
【図２】本技術を適用したタブレット端末装置の外観を示す図である。
【図３】本技術を適用したタブレット端末装置の表示例を示す図である。
【図４】本技術を適用したタブレット端末装置の内部構成を示す図である。
【図５】制御部の機能的構成例を示す図である。
【図６】切り抜き画像生成処理を説明するフローチャートである。
【図７】切り抜き枠の初期設定処理の詳細を説明するフローチャートである。
【図８】切り抜き枠の初期表示例を示す図である。
【図９】切り抜き枠のアスペクト比調整処理の詳細を説明するフローチャートである。
【図１０】切り抜き枠のアスペクト比調整時の表示例を示す図である。
【図１１】切り抜き枠のアスペクト比の例を示す図である。
【図１２】吸着境界線を説明する図である。
【図１３】画像編集処理の詳細を説明するフローチャートである。
【図１４】画像編集時の表示例を示す図である。
【図１５】本技術の画像の切り抜き操作の一連の流れを説明するための図である。
【図１６】他の画像の切り抜き方式との比較を説明するための図である。
【図１７】切り抜き枠の形状の他の例を示す図である。
【図１８】切り抜き枠の形状のさらに他の例を示す図である。
【図１９】コンピュータの構成例を示す図である。
【発明を実施するための形態】
【００２６】
以下、図面を参照しながら本技術の実施の形態について説明する。
【００２７】
＜タブレット端末装置の構成＞
【００２８】
（タブレット端末装置の外観と表示例）
図２は、本技術を適用したタブレット端末装置の外観を示す図である。
【００２９】
図２に示すように、タブレット端末装置１０は、大画面を有する板状の筐体からなり、主な使用形態として、卓上に設置することが想定される。
【００３０】
タブレット端末装置１０は、コンピュータ本体としての処理機能とともに、タッチセンサと表示部とが一体化されたタッチパネルを有している。このタッチパネルに対して、ユーザ１の指やタブレット用ペンによって入力操作が行われると、タブレット端末装置１０では、その入力操作の内容に応じた各種の処理が行われる。
【００３１】
また、タブレット端末装置１０は大画面を有することから、図３に示すように、複数のユーザ１−１乃至ユーザ１−３が同時に入力操作をするだけのスペースの余裕がある。従って、例えば、デジタルスチルカメラで撮影された撮影画像をタブレット端末装置１０に取り込んで表示し、その撮影画像に対する編集作業を複数のユーザが協同して行うといったことが可能となる。
【００３２】
（タブレット端末装置の内部構成）
図４は、本技術を適用したタブレット端末装置の内部構成を示す図である。
【００３３】
図４に示すように、図２のタブレット端末装置１０は、制御部１０１、メモリ部１０２、操作部１０３、タッチパネル１０４、スピーカ１０５、記録部１０６、通信部１０７、及び、電源部１０８から構成される。
【００３４】
制御部１０１は、タブレット端末装置１０の各部の動作を制御する。メモリ部１０２は、制御部１０１からの制御に従い、各種のデータを一時的に保持する。
【００３５】
操作部１０３は、タブレット端末装置１０に設けられたボタン等であり、ユーザの操作に応じて操作信号を制御部１０１に供給する。制御部１０１は、操作部１０３からの操作信号に応じて、各部の動作を制御する。
【００３６】
タッチパネル１０４は、表示部１５１と、その画面上に重畳されるタッチセンサ１５２とから構成される。表示部１５１は、液晶ディスプレイ（LCD：Liquid Crystal Display）等で構成され、制御部１０１からの制御に従い、各種の情報を表示する。また、タッチセンサ１５２は、ユーザ１によりタッチパネル１０４に対して行われる入力操作を、その操作が行われた場所のタッチパネル１０４上での位置とともに検出し、その検出信号を制御部１０１に供給する。
【００３７】
ここで、タッチセンサ１５２によって検出される入力操作には、例えば、ユーザ１の指をタッチパネル１０４の表面に接触させる操作や、ユーザ１の指をタッチパネル１０４の表面に接触させたまま移動させる操作、ユーザ１の指をタッチパネル１０４の表面から離す操作などがある。
【００３８】
なお、タッチパネル１０４では、例えば、静電容量方式や電磁誘導方式などの各種の検出方式を採用することができる。
【００３９】
スピーカ１０５は、制御部１０１からの制御に従い、音声を出力する。記録部１０６は、例えばHDD（Hard Disk Drive）等から構成される。記録部１０６は、制御部１０１からの制御に従い、各種のデータを記録する。
【００４０】
通信部１０７は、制御部１０１からの制御に従い、ネットワークを介して他の電子機器や各種のサーバ（不図示）と通信を行う。電源部１０８は、蓄電池又は外部電源から得られる電源電力を、制御部１０１を含む各部に供給する。
【００４１】
タブレット端末装置１０は、以上のように構成される。
【００４２】
（制御部の機能的構成例）
図５は、図４の制御部１０１の機能的構成例を示す図である。
【００４３】
図５に示すように、制御部１０１は、切り抜き枠設定部２０１、画像編集部２０２、切り抜き画像生成部２０３、及び、表示制御部２０４から構成される。
【００４４】
切り抜き枠設定部２０１は、ユーザ１の入力操作に応じて、切り抜き枠を設定する。ここで、切り抜き枠とは、編集の対象となる編集対象画像の一部を切り抜くための領域を指定する所定の形状の枠である。切り抜き枠は、編集対象画像上に重畳して表示される。
【００４５】
画像編集部２０２は、ユーザ１の入力操作に応じて、編集対象画像上に重畳された切り抜き枠内の画像を編集する。例えば、ここでの画像編集としては、編集対象画像に対し、切り抜き枠内の画像の移動、拡大若しくは縮小、又は回転などの各種の処理が施される。
【００４６】
切り抜き画像生成部２０３は、ユーザ１の入力操作に応じて、編集対象画像から切り抜き枠内の画像を切り抜いて、切り抜き画像を生成する。
【００４７】
表示制御部２０４は、撮影画像の中から編集の対象として選択された編集対象画像、画像編集部２０２により編集された編集対象画像、又は切り抜き画像生成部２０３により生成された切り抜き画像などの各種の画像を、表示部１５１に表示させる。
【００４８】
また、表示制御部２０４は、切り抜き枠設定部２０１により設定される切り抜き枠を、編集対象画像上に重畳して表示させる。
【００４９】
制御部１０１は、以上のように構成される。
【００５０】
＜具体的な使用例＞
【００５１】
次に、タブレット端末装置１０の使用方法について説明する。ここでは、その具体的な使用方法として、撮影画像の中から選択された編集対象画像の一部を切り抜いて、所望の切り抜き画像を生成する場面について説明する。
【００５２】
（切り抜き画像生成処理）
まず、図６のフローチャートを参照して、タブレット端末装置１０により実行される切り抜き画像生成処理を説明する。
【００５３】
ステップＳ１１においては、ユーザ１の入力操作によって、所望の撮影画像が編集対象画像に選択され、その編集対象画像に対する切り抜き操作の開始が指示されたか否かが判定される。ステップＳ１１の判定処理で、編集対象画像の切り抜きの開始が指示されたと判定された場合、処理はステップＳ１２に進められる。
【００５４】
ステップＳ１２において、切り抜き枠設定部２０１は、切り抜き枠の初期設定処理を行う。この初期設定処理では、切り抜き枠の初期状態での表示形態が設定される。
【００５５】
ここで、切り抜き枠は、その形状を特定するための円形のガイド（以下、「円形ガイド」という）に拘束されて変形される。ただし、円形ガイドの中心位置は、同一平面上の所定の対象の中心位置と一致している。そして、切り抜き枠は、例えば、円形ガイドの半径が所定の対象の幅を基準として最大化された値となるように設定される。
【００５６】
例えば、所定の対象には、表示部１５１の画面、画像編集用のアプリケーションプログラムの画像表示領域、又は、編集対象画像などが該当するので、それらの対象の幅を基準として、円形ガイドの半径が最大化された値となるように、切り抜き枠の表示形態が設定される。表示制御部２０４は、切り抜き枠設定部２０１により設定された切り抜き枠を、編集対象画像上に重畳して表示させる。
【００５７】
なお、切り抜き枠の初期設定処理の詳細については、図７及び図８を参照して後述する。
【００５８】
ステップＳ１２の切り抜き枠の初期設定処理が終了すると、処理は、ステップＳ１３に進められる。
【００５９】
ステップＳ１３においては、ユーザ１の入力操作によって、切り抜き枠のアスペクト比の変更が指示されたか否かが判定される。
【００６０】
ステップＳ１３において、切り抜き枠のアスペクト比の変更が指示されたと判定された場合、処理は、ステップＳ１４に進められる。ステップＳ１４において、切り抜き枠設定部２０１は、切り抜き枠のアスペクト比調整処理を行う。
【００６１】
このアスペクト比調整処理では、ユーザ１の入力操作に応じて、切り抜き枠のアスペクト比が調整される。
【００６２】
ここで、切り抜き枠は、上述した円形ガイドに内接しており、各頂点が円形ガイドに沿って移動することで、その形状が変形される。例えば、切り抜き枠は、矩形の形状を有し、その４頂点が円形ガイドに沿って移動することで、形状が変形してアスペクト比が調整される。表示制御部２０４は、切り抜き枠設定部２０１により調整された切り抜き枠を、編集対象画像上に重畳して表示させる。
【００６３】
なお、切り抜き枠のアスペクト比調整処理の詳細については、図９乃至図１２を参照して後述する。
【００６４】
ステップＳ１４の切り抜き枠のアスペクト比調整処理が終了すると、処理は、ステップＳ１５に進められる。また、ステップＳ１３において、切り抜き枠のアスペクト比の変更が指示されていないと判定された場合、ステップＳ１４の処理はスキップされる。
【００６５】
ステップＳ１５においては、ユーザ１の入力操作によって、切り抜き枠内の画像に対する編集が指示されたか否かが判定される。ステップＳ１５において、切り抜き枠内の画像に対する編集が指示されたと判定された場合、処理は、ステップＳ１６に進められる。
【００６６】
ステップＳ１６において、画像編集部２０２は、画像編集処理を行う。ここでの画像編集としては、編集対象画像に対し、切り抜き枠内の画像の移動、拡大若しくは縮小、又は回転などの各種の処理が施される。表示制御部２０４は、画像編集部２０２により編集された編集対象画像を表示部１５１に表示させる。
【００６７】
なお、画像編集処理の詳細については、図１３及び図１４を参照して後述する。
【００６８】
ステップＳ１６の画像編集処理が終了すると、処理は、ステップＳ１７に進められる。また、ステップＳ１５において、切り抜き枠内の画像に対する編集が指示されていないと判定された場合、処理は、ステップＳ１７に進められる。
【００６９】
ステップＳ１７においては、ユーザ１の入力操作によって、切り抜き画像の決定が指示されたか否かが判定される。ステップＳ１７において、切り抜き画像の決定が指示されていないと判定された場合、処理は、ステップＳ１３に戻って、それ以降の処理が繰り返される。
【００７０】
すなわち、ステップＳ１３乃至Ｓ１７の処理が繰り返されることで、切り抜き枠の形状が調整され、さらに、その切り抜き枠内の画像に対する各種の画像編集処理が行われることになる。
【００７１】
ステップＳ１７において、切り抜き画像の決定が指示されたと判定された場合、処理は、ステップＳ１８に進められる。ステップＳ１８において、切り抜き画像生成部２０３は、編集対象画像から、切り抜き枠内の画像を切り抜いて、切り抜き画像を生成する。表示制御部２０４は、切り抜き画像生成部２０３により生成された切り抜き画像を表示部１５１に表示させる。
【００７２】
以上により、所望の切り抜き画像が生成される。
【００７３】
（切り抜き枠の初期設定処理）
次に、図７のフローチャートを参照して、図６のステップＳ１２に対応する切り抜き枠の初期設定処理の詳細について説明する。
【００７４】
ステップＳ６１において、切り抜き枠設定部２０１は、例えば編集対象画像の表示形態に基づいて、切り抜き枠の円形ガイドを、表示部１５１の画面の幅にあわせるか否かを判定する。
【００７５】
ステップＳ６１において、切り抜き枠の円形ガイドを、表示部１５１の画面の幅にあわせると判定された場合、所定の対象が表示部１５１の画面となるので、処理は、ステップＳ６２に進められる。ステップＳ６２において、切り抜き枠設定部２０１は、切り抜き枠の円形ガイドの半径を、表示部１５１の画面の幅に対して最大化された値に設定する。
【００７６】
具体的には、図８ａに示すように、円形ガイド２５２は、その半径が表示部１５１の画面２６１の幅に対して最大化された状態となる。また、このとき、円形ガイド２５２の中心位置と、表示部１５１の画面の中心位置とは、図中の十字で示した位置Ｏで一致している。
【００７７】
ただし、矩形状の切り抜き枠２５１は、円形ガイド２５２に内接しており、その４頂点に位置する操作子Ａ乃至操作子Ｄは、円形ガイド２５２上を移動自在とされる。換言すれば、位置Ｏを中心とする円形ガイド２５２は、そのガイド上の操作子Ａ乃至操作子Ｄを頂点とする切り抜き枠２５１の外接円であるといえる。
【００７８】
図７のフローチャートに戻り、ステップＳ６１において、切り抜き枠の円形ガイドを、表示部１５１の画面の幅にあわせないと判定された場合、処理はステップＳ６３に進められる。ステップＳ６３において、切り抜き枠設定部２０１は、例えば編集対象画像の表示形態に基づいて、切り抜き枠の円形ガイドを、画像編集用のアプリケーションプログラムの画像表示領域の幅にあわせるか否かを判定する。
【００７９】
ステップＳ６３において、切り抜き枠の円形ガイドを、画像編集用のアプリケーションプログラムの画像表示領域の幅にあわせると判定された場合、所定の対象が画像編集用のアプリケーションプログラムの画像表示領域となるので、処理は、ステップＳ６４に進められる。ステップＳ６４において、切り抜き枠設定部２０１は、切り抜き枠の円形ガイドの半径を、画像編集用のアプリケーションプログラムの画像表示領域の幅に対して最大化された値に設定する。
【００８０】
具体的には、図８ｂに示すように、円形ガイド２５２は、その半径が画像編集用のアプリケーションプログラム２６２の画像表示領域の幅に対して最大化された状態となる。また、このとき、円形ガイド２５２の中心位置と、画像編集用のアプリケーションプログラムの画像表示領域の中心位置とは、図中の位置Ｏで一致している。また、切り抜き枠２５１の４頂点に位置する操作子Ａ乃至操作子Ｄは、円形ガイド２５２上を移動自在とされる。
【００８１】
図７のフローチャートに戻り、ステップＳ６３において、切り抜き枠の円形ガイドを、画像編集用のアプリケーションプログラムの画像表示領域の幅にあわせないと判定された場合、所定の対象が編集対象画像となるので、処理は、ステップＳ６５に進められる。ステップＳ６５において、切り抜き枠設定部２０１は、切り抜き枠の円形ガイドの半径を、編集対象画像の幅に対して最大化された値に設定する。
【００８２】
具体的には、図８ｃに示すように、円形ガイド２５２は、その半径が編集対象画像２６３の幅に対して最大化された状態となる。また、このとき、円形ガイド２５２の中心位置と、編集対象画像の中心位置とは、図中の位置Ｏで一致している。また、切り抜き枠２５１の４頂点に位置する操作子Ａ乃至操作子Ｄは、円形ガイド２５２上を移動自在とされる。
【００８３】
図７のフローチャートに戻り、ステップＳ６２，Ｓ６４，又はＳ６５の処理が終了すると、処理は図６のステップＳ１２に戻り、それ以降の処理が実行される。
【００８４】
なお、説明の都合上、図８では、円形ガイド２５２（図中の円）や中心位置Ｏ（図中の十字）は、編集対象画像上に重畳表示されるものとして説明したが、円形ガイド２５２や中心位置Ｏを非表示として、切り抜き枠２５１と操作子Ａ乃至操作子Ｄのみが重畳表示されるようにしてもよい。
【００８５】
以上、切り抜き枠の初期設定処理について説明した。この切り抜き枠の初期設定処理によって、円形ガイドの中心位置が所定の対象の中心位置と一致した状態となり、かつ、円形ガイドの半径が所定の対象に対して最大化された状態となるので、結果として、その円形ガイドに内接する切り抜き枠を、最も効率的かつ最大化された状態で表示させることが可能となる。
【００８６】
（切り抜き枠のアスペクト比調整処理）
次に、図９のフローチャートを参照して、図６のステップＳ１４に対応する切り抜き枠のアスペクト比調整処理の詳細について説明する。
【００８７】
ステップＳ１１１において、切り抜き枠設定部２０１は、ユーザ１の入力操作によって、操作子が円形ガイドの中心角を広げる方向に移動したか否かを判定する。
【００８８】
ここで、円形ガイドの中心角とは、円形ガイドの上側又は下側の弧を移動する２頂点と、中心点（中心位置Ｏ）とがなす角度をいう。つまり、図１０に示すように、中心角とは、円形ガイド２５２の上側の弧を移動する操作子Ａと操作子Ｄの弧ＡＤに対する中心角（∠ＡＯＤ）、又は、円形ガイド２５２の下側の弧を移動する操作子Ｂと操作子Ｃの弧ＢＣに対する中心角（∠ＢＯＣ）を意味するものとする。
【００８９】
図９のフローチャートに戻り、ステップＳ１１１において、操作子が円形ガイドの中心角を広げる方向に移動したと判定された場合、処理は、ステップＳ１１２に進められる。ステップＳ１１２において、切り抜き枠設定部２０１は、円形ガイドの中心角を広げる方向に移動した各操作子の円形ガイド上の位置に応じて、切り抜き枠のアスペクト比を変更する。
【００９０】
具体的には、図１０ｂは、図１０ａの初期状態においてユーザ１により移動操作が行われ、切り抜き枠２５１の４頂点の操作子が、円形ガイド２５２の中心角を広げる方向に移動された状態を示している。ただし、「移動操作」とは、タッチパネル１０４上の所望の対象（例えば操作子Ａ）を指先で触れて、その指先をそのまま移動させるような操作をいう。
【００９１】
図１０ｂの状態では、切り抜き枠２５１の４頂点のうち、上側の操作子Ａ，Ｄは、Ａ´，Ｄ´にそれぞれ移動し、下側の操作子Ｂ，Ｃは、Ｂ´，Ｃ´にそれぞれ移動している。このように各操作子が移動することで、操作子Ａと操作子Ｄの位置、操作子Ｂと操作子Ｃの位置がそれぞれ円形ガイド２５２上で離れるので、切り抜き枠２５１の縦辺の長さは短くなるが、横辺の長さは長くなる。
【００９２】
これにより、切り抜き枠２５１は、図１０ｂに示すようにアスペクト比が変更され、横長の矩形状の形状となる。
【００９３】
なお、図１０においては、１つの操作子を操作して円形ガイド２５２上を移動させれば、他の操作子もそれに連動して円形ガイド２５２上を移動するものとする。例えば、図１０ｂの矢印方向に操作子Ａが移動操作された場合、操作子Ｂ乃至Ｄは、操作子Ａに連動して中心角を広げる方向にそれぞれ移動することになる。
【００９４】
図９のフローチャートに戻り、ステップＳ１１１において、操作子が円形ガイドの中心角を広げる方向に移動していない、すなわち、操作子が円形ガイドの中心角を狭める方向に移動したと判定された場合、処理は、ステップＳ１１３に進められる。ステップＳ１１３において、切り抜き枠設定部２０１は、円形ガイドの中心角を狭める方向に移動した各操作子の円形ガイド上の位置に応じて、切り抜き枠のアスペクト比を変更する。
【００９５】
具体的には、図１０ｃは、図１０ａの初期状態においてユーザ１により移動操作が行われ、切り抜き枠２５１の４頂点の操作子が、円形ガイド２５２の中心角を狭める方向に移動された状態を示している。図１０ｃの状態では、切り抜き枠２５１の４頂点のうち、上側の操作子Ａ，Ｄは、Ａ´，Ｄ´にそれぞれ移動し、下側の操作子Ｂ，Ｃは、Ｂ´，Ｃ´にそれぞれ移動している。このように各操作子が移動することで、操作子Ａと操作子Ｄの位置、操作子Ｂと操作子Ｃの位置がそれぞれ円形ガイド２５２上で近づくので、切り抜き枠２５１の縦辺の長さは長くなるが、横辺の長さは短くなる。
【００９６】
これにより、切り抜き枠２５１は、図１０ｃに示すようにアスペクト比が変更され、縦長の矩形状の形状となる。
【００９７】
なお、例えば、図１０ｃの矢印方向に操作子Ａが移動操作された場合には、操作子Ｂ乃至Ｄもそれに連動して中心角を狭める方向にそれぞれ移動することになる。
【００９８】
また、切り抜き枠２５１のアスペクト比は、その横縦の比率が各頂点の位置に応じた任意の比率となるようにしてもよいし、あらかじめ定められた固定の比率になるようにしてもよい。固定の比率とする場合には、例えば、切り抜き枠２５１の横縦の比率として、１：１，４：３，３：２，１６：９などの所定の規格で定められた画面アスペクト比に応じた代表的なアスペクト比にのみ変更できるようにすることができる。
【００９９】
例えば、図１１に示すように、切り抜き枠２５１の操作子Ａを移動操作して、円形ガイド２５２上を、中心角を広げる方向に移動させた場合に、切り抜き枠２５１のアスペクト比を、１：１や１６：９等の固定のアスペクト比にのみ変更可能とさせることができる。
【０１００】
具体的には、操作子Ａが円形ガイド２５２上の位置Ｐ１に移動したとき、切り抜き枠２５１のアスペクト比は１：１となり、操作子Ａが円形ガイド２５２上の位置Ｐ２に移動したとき、切り抜き枠２５１のアスペクト比は１６：９となる。これにより、ユーザ１は、確実に、切り抜き枠２５１を代表的なアスペクト比に設定することができる。
【０１０１】
その際に、図１２に示すように、円形ガイド２５２上の位置Ｐ１や位置Ｐ２の近傍に、固定の比率の境界となる吸着境界線をあらかじめ定めておくことで、円形ガイド２５２上を移動中の操作子Ａが位置Ｐ１や位置Ｐ２に到達する前の、吸着境界線を超えた時点で、位置Ｐ１や位置Ｐ２に到達したものとみなすことができる。
【０１０２】
具体的には、図１２ａと図１２ｂでは、操作子Ａは吸着境界線を超えていないが、図１２ｃでは吸着境界線を超えたので、吸着境界線を超えた時点で操作子Ａは位置Ｐ１に吸着され、切り抜き枠２５１のアスペクト比は、１：１の固定の比率に変更される。これにより、切り抜き枠２５１のアスペクト比の変更の際の操作性を向上させることができる。
【０１０３】
図９のフローチャートに戻り、ステップＳ１１２又はＳ１１３の処理が終了すると、処理は、図６のステップＳ１４に戻り、それ以降の処理が実行される。
【０１０４】
なお、説明の都合上、図１０乃至図１２では、円形ガイド２５２（図中の円）や中心位置Ｏ（図中の十字）は、編集対象画像上に重畳表示されるものとして説明したが、円形ガイド２５２や中心位置Ｏを非表示として、切り抜き枠２５１と操作子Ａ乃至操作子Ｄのみが重畳表示されるようにしてもよい。
【０１０５】
以上、切り抜き枠のアスペクト比調整処理について説明した。この切り抜き枠のアスペクト比調整処理によって、ユーザ１は、操作子Ａ乃至操作子Ｄのうち、１つの操作子を、円形ガイド２５２上を移動させるだけで、切り抜き枠２５１のアスペクト比を容易に調整することが可能となるため、切り抜き枠２５１の調整の際の操作性を向上させることができる。また、この場合においても、円形ガイドの中心位置が所定の対象の中心位置と一致した状態となり、かつ、円形ガイドの半径が所定の対象に対して最大化された状態となっているので、その円形ガイドに内接する切り抜き枠は、最も効率的かつ最大化された状態で重畳表示されていることになる。
【０１０６】
（画像編集処理）
次に、図１３のフローチャートを参照して、図６のステップＳ１６に対応する画像編集処理の詳細について説明する。
【０１０７】
ステップＳ１６１においては、ユーザ１の入力操作によって、切り抜き枠内の画像の移動が指示されたか否かが判定される。
【０１０８】
ステップＳ１６１において、切り抜き枠内の画像の移動が指示されたと判定された場合、処理は、ステップＳ１６２に進められる。ステップＳ１６２において、画像編集部２０２は、ユーザ１による入力操作に応じて、切り抜き枠内の画像を移動させる。
【０１０９】
具体的には、図１４ａに示すように、切り抜き枠２５１内の画像に対し、図中の矢印で示す方向に、ユーザ１によりスクロール操作が行われた場合、その操作量に応じた方向に枠内の画像が移動される。ただし、「スクロール操作」とは、タッチパネル１０４上の所望の領域に指を載せて、その指をそのまま移動又は軽く払うような操作をいう。これにより、切り抜き枠２５１により指定される編集対象画像の領域が変更され、切り抜き画像として切り抜く領域の位置を調整することができる。
【０１１０】
図１３のフローチャートに戻り、ステップＳ１６１において、切り抜き枠内の画像の移動が指示されていないと判定された場合、処理は、ステップＳ１６３に進められる。ステップＳ１６３においては、ユーザ１の入力操作によって、切り抜き枠内の画像の拡大又は縮小が指示されたか否かが判定される。
【０１１１】
ステップＳ１６３において、切り抜き枠内の画像の拡大又は縮小が指示されたと判定された場合、処理は、ステップＳ１６４に進められる。ステップＳ１６４において、画像編集部２０２は、ユーザ１による入力操作に応じて、切り抜き枠内の画像を拡大又は縮小させる。
【０１１２】
具体的には、図１４ｂに示すように、切り抜き枠２５１内の画像に対し、図中の矢印で示す方向に、ユーザ１により拡大操作が行われた場合、その操作量に応じた拡大率で枠内の画像が変倍される。ただし、「拡大操作」とは、タッチパネル１０４上の所望の領域に２本の指を載せてそれらの指の間隔を広げるような操作をいう。
【０１１３】
また、切り抜き枠２５１内の画像に対し、ユーザ１により縮小操作が行われた場合、その操作量に応じた縮小率で枠内の画像が変倍される。ただし、「縮小操作」とは、タッチパネル１０４上の所望の領域に２本の指を載せてそれらの指の間隔を狭めるような操作をいう。
【０１１４】
これにより、切り抜き枠２５１により指定される編集対象画像の領域の倍率が変更され、切り抜き画像として切り抜く領域の大きさを調整することができる。
【０１１５】
図１３のフローチャートに戻り、ステップＳ１６３において、切り抜き枠内の画像の拡大又は縮小が指示されていない、すなわち、切り抜き枠内の画像の回転が指示されたと判定された場合、処理は、ステップＳ１６５に進められる。ステップＳ１６５において、画像編集部２０２は、ユーザ１による入力操作に応じて、切り抜き枠内の画像を回転させる。
【０１１６】
具体的には、図１４ｃに示すように、切り抜き枠２５１内の画像に対し、図中の矢印で示す方向に、回転操作が行われた場合、その操作量に応じた方向に枠内の画像が回転される。ただし、「回転操作」とは、タッチパネル１０４上の所望の領域に２本の指を載せてそのまま指を右方向又は左方向に動かすような操作をいう。これにより、編集対象画像から切り抜き画像として切り抜く領域の向きを調整することができる。
【０１１７】
図１３のフローチャートに戻り、ステップＳ１６２，Ｓ１６４，又はＳ１６５の処理が終了すると、処理は図６のステップＳ１６に戻り、それ以降の処理が実行される。
【０１１８】
なお、説明の都合上、切り抜き枠内の画像に対する画像編集処理として、移動、拡大若しくは縮小、又は回転の各処理を説明したが、それらの処理は一例であり、それ以外の画像編集処理が施されるようにしてもよい。
【０１１９】
以上、画像編集処理について説明した。この画像編集処理によって、ユーザ１は、編集対象画像上に重畳された切り抜き枠内の、切り抜き画像として切り抜く領域の位置や大きさ、向きなどを調整することができる。また、この場合においても、円形ガイドの中心位置が所定の対象の中心位置と一致した状態となり、かつ、円形ガイドの半径が所定の対象に対して最大化された状態となっているので、その円形ガイドに内接する切り抜き枠は、最も効率的かつ最大化された状態で重畳表示されていることになる。
【０１２０】
（画像の切り抜き操作の一連の流れ）
図１５は、ユーザ１による画像の切り抜き操作の一連の流れを説明するための図である。
【０１２１】
ユーザ１はまず、複数の撮影画像の中から、所望の撮影画像を編集対象画像として選択し、編集対象画像に対する切り抜き操作の開始を指示する（Ｓ２１１）。すると、編集対象画像上には、切り抜き枠２５１が重畳表示されるので、ユーザ１は、円形ガイド２５２上の操作子Ａ乃至操作子Ｄのうち、１つの操作子を移動操作して、切り抜き枠２５１を所望の形状に設定する（Ｓ２１２）。
【０１２２】
これにより、ユーザ１は、他の操作画面などを操作せずに、操作子を移動操作させるだけで、切り抜き枠２５１のアスペクト比を調整できるので、切り抜き枠のアスペクト比を調整する際の操作性を向上させることができる。また、切り抜き枠２５１は、円形ガイド２５２に拘束されて変形されるため、画面等の所定の対象の中心位置を含む領域が常に枠内に捉えられることとなり、結果として的確に切り抜きの対象を指定することができる。
【０１２３】
また、切り抜き枠２５１は、切り抜き操作の開始と同時に、編集対象画像上に重畳表示されるので、ユーザ１は、切り抜きの対象となる画像の内容や領域を直感的に理解することができる。
【０１２４】
次に、ユーザ１は、切り抜き枠２５１内の画像に対し、スクロール操作を行うことで、切り抜き画像として切り抜く領域の位置を調整する（Ｓ２１３）。さらに、ユーザ１は、切り抜き枠２５１内の画像に対し、拡大操作又は縮小操作を行うことで、切り抜き画像として切り抜く領域の大きさを調整する（Ｓ２１４）。また、ユーザ１は、切り抜き枠２５１内の画像に対し、回転操作を行うことで、切り抜き画像として切り抜く領域の向きを調整する（Ｓ２１４）。
【０１２５】
このとき、切り抜き枠２５１では、画面等の所定の対象の中心位置を含む領域を常に枠内に捉えられることができるので、ユーザ１は、常に所定の対象の中心位置付近でその枠内の画像を調整することとなり、その操作性を向上させることができる。
【０１２６】
そして、ユーザ１は、切り抜き画像として切り抜く領域の位置や大きさ、向きなどの調整をした後、切り抜き画像の生成を指示する。これにより、切り抜き枠２５１内の画像が、切り抜き画像として生成される（Ｓ２１５）。
【０１２７】
タブレット端末装置１０においては、以上のようにして画像の切り抜き操作が行われる。
【０１２８】
なお、図１６には、他の画像の切り抜きの方式を示しているが、この方式であると、編集対象画像と同じ大きさの切り抜き枠が表示され（Ｓ３１２）、その切り抜き枠の移動や変形を行うと（Ｓ３１３）、それに追従して切り抜き枠内の画像のリサイズとセンタリングが行われる（Ｓ３１４）。このように、図１６に示した方式であると、切り抜き枠に対する操作に応じて頻繁に枠内の画像のサイズや位置の調整が行われ、視覚的な不具合やユーザの待ち時間が生じてしまうため、操作性が悪かった。それに対し、本技術の方式では、円形ガイドの中心位置が所定の対象の中心位置と一致した状態となり、かつ、円形ガイドの半径が所定の対象に対して最大化された状態となっているので、その円形ガイドに内接する切り抜き枠は、最も効率的かつ最大化された状態で編集対象画像上に重畳表示されることになる。その結果、図１６に示したような視覚的な不具合や待ち時間の発生を抑えることができる。
【０１２９】
＜変形例＞
【０１３０】
上述した説明では、切り抜き枠は、矩形状の形状からなるとして説明したが、その形状は矩形に限定されるものではない。例えば、図１７に示すように、切り抜き枠２５１が星型の形状からなるようにしてもよい。この場合、星型の形状を有する切り抜き枠２５１は、円形ガイド２５２に内接する四角形と一体に形成されており、その四角形の４頂点が操作子Ａ乃至操作子Ｄとされる。従って、上述した矩形の切り抜き枠と同様に、各操作子を円形ガイドの中心角を広げる方向に移動させることで、星型の切り抜き枠２５１は、横長の星型の形状となる。また、各操作子を円形ガイドの中心角を狭める方向に移動させることで、星型の切り抜き枠２５１は、縦長の星型の形状となる。
【０１３１】
さらに、図１８に示すように、切り抜き枠２５１の形状としては、矩形や星型の形状の他、楕円や三角形の形状からなるようにしてもよい。要は、円形ガイド２５２に内接する四角形上に表すことができる図形であれば、その形状は任意である。
【０１３２】
なお、上述した説明では、編集対象画像として、デジタルスチルカメラで撮影された撮影画像を一例に説明したが、撮影画像に限らず、デジタルデータの画像であればいずれも、編集対象画像として選択することができる。
【０１３３】
また、上述した説明では、本技術が適用される画像処理装置として、タブレット端末装置を一例に説明したが、それに限らず、本技術は、例えば、携帯電話機やスマートホンなどのタッチパネルを有する電子機器や、パーソナルコンピュータ等の所定の入力装置（例えばマウス）を介して操作される電子機器にも適用することができる。
【０１３４】
＜本技術を適用したコンピュータの説明＞
【０１３５】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０１３６】
図１９は、上述した一連の処理をプログラムにより実行するコンピュータのハードウェアの構成例を示すブロック図である。
【０１３７】
コンピュータ３００において、CPU（Central Processing Unit）３１１，ROM（Read Only Memory）３１２，RAM（Random Access Memory）３１３は、バス３０４により相互に接続されている。
【０１３８】
バス３１４には、さらに、入出力インタフェース３１５が接続されている。入出力インタフェース３１５には、入力部３１６、出力部３１７、記録部３１８、通信部３１９、及びドライブ３２０が接続されている。
【０１３９】
入力部３１６は、キーボード、マウス、マイクロフォンなどよりなる。出力部３１７は、ディスプレイ、スピーカなどよりなる。記録部３１８は、ハードディスクや不揮発性のメモリなどよりなる。通信部３１９は、ネットワークインタフェースなどよりなる。ドライブ３２０は、磁気ディスク、光ディスク、光磁気ディスク、又は半導体メモリなどのリムーバブルメディア３２１を駆動する。
【０１４０】
以上のように構成されるコンピュータ３００では、CPU３１１が、例えば、記録部３１８に記憶されているプログラムを、入出力インタフェース３１５及びバス３１４を介して、RAM３１３にロードして実行することにより、上述した一連の処理が行われる。
【０１４１】
コンピュータ３００（CPU３１１）が実行するプログラムは、例えば、パッケージメディア等としてのリムーバブルメディア３２１に記録して提供することができる。また、プログラムは、ローカルエリアネットワーク、インターネット、デジタル衛星放送といった、有線又は無線の伝送媒体を介して提供することができる。
【０１４２】
コンピュータ３００では、プログラムは、リムーバブルメディア３２１をドライブ３２０に装着することにより、入出力インタフェース３１５を介して、記録部３１８にインストールすることができる。また、プログラムは、有線又は無線の伝送媒体を介して、通信部３１９で受信し、記録部３１８にインストールすることができる。その他、プログラムは、ROM３１２や記録部３１８に、あらかじめインストールしておくことができる。
【０１４３】
なお、コンピュータ３００が実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１４４】
ここで、本明細書において、コンピュータ３００に各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０１４５】
また、プログラムは、１のコンピュータにより処理されるものであってもよいし、複数のコンピュータによって分散処理されるものであってもよい。さらに、プログラムは、遠方のコンピュータに転送されて実行されるものであってもよい。
【０１４６】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１４７】
なお、本技術の実施の形態は、上述した実施の形態に限定されるものではなく、本技術の要旨を逸脱しない範囲において種々の変更が可能である。
【０１４８】
例えば、本技術は、１つの機能を、ネットワークを介して複数の装置で分担、共同して処理するクラウドコンピューティングの構成をとることができる。
【０１４９】
また、上述のフローチャートで説明した各ステップは、１つの装置で実行する他、複数の装置で分担して実行することができる。
【０１５０】
さらに、１つのステップに複数の処理が含まれる場合には、その１つのステップに含まれる複数の処理は、１つの装置で実行する他、複数の装置で分担して実行することができる。
【０１５１】
なお、本技術は、以下のような構成をとることができる。
【０１５２】
（１）
編集の対象となる編集対象画像の一部を切り抜くための切り抜き枠を設定する切り抜き枠設定部と、
ユーザからの指示に応じて、前記編集対象画像上に重畳された前記切り抜き枠内の画像を編集する画像編集部と、
前記編集対象画像から前記切り抜き枠内の画像を切り抜いて、切り抜き画像を生成する切り抜き画像生成部と
を備える画像処理装置。
（２）
前記切り抜き枠は、その形状が、前記編集対象画像上に設けられた円形のガイドに拘束されて変形される
（１）に記載の画像処理装置。
（３）
前記円形のガイドの中心位置は、同一平面上の所定の対象の中心位置と一致している
（２）に記載の画像処理装置。
（４）
前記円形のガイドの半径は、前記所定の対象の幅を基準として最大化された値となる
（２）又は（３）に記載の画像処理装置。
（５）
前記所定の対象は、前記編集対象画像を表示する表示部の画面、前記編集対象画像の編集用のアプリケーションプログラムの画像表示領域、又は前記編集対象画像である
（３）又は（４）に記載の画像処理装置。
（６）
前記切り抜き枠は、前記円形のガイドに内接しており、各頂点が前記円形のガイドに沿って移動することで、その形状が変形される
（２）乃至（５）のいずれか一項に記載の画像処理装置。
（７）
前記切り抜き枠は、矩形の形状を有し、その４頂点が前記円形のガイドに沿って移動する
（６）に記載の画像処理装置。
（８）
前記切り抜き枠は、
前記円形のガイドの上側又は下側の弧を移動する２頂点と、中心点とがなす中心角が広げられたとき、その形状が各頂点の移動前よりも横長の形状となり、
前記中心角が狭められたとき、その形状が各頂点の移動前よりも縦長の形状となる
（７）に記載の画像処理装置。
（９）
前記切り抜き枠の横縦の比率は、各頂点の位置に応じて、あらかじめ定められた固定の比率となる
（８）に記載の画像処理装置。
（１０）
前記円形のガイド上には、前記固定の比率が変更される境界があらかじめ定められており、各頂点が移動して前記境界を超えたとき、前記固定の比率が変更される
（９）に記載の画像処理装置。
（１１）
前記固定の比率は、所定の規格で定められた画面アスペクト比に応じた比率である
（９）又は（１０）に記載の画像処理装置。
（１２）
前記切り抜き枠の横縦の比率は、各頂点の位置に応じた任意の比率となる
（８）に記載の画像処理装置。
（１３）
前記編集対象画像は、タッチパネル上に表示され、
前記タッチパネル上でのタッチ操作に応じて、前記切り抜き画像が生成される
（１）乃至（１２）のいずれか一項に記載の画像処理装置。
（１４）
前記画像処理装置は、タブレット型の電子機器である
（１３）に記載の画像処理装置。
（１５）
前記円形のガイドは、非表示とされる
（２）乃至（１４）のいずれか一項に記載の画像処理装置。
（１６）
画像処理装置の画像処理方法において、
前記画像処理装置が、
編集の対象となる編集対象画像の一部を切り抜くための切り抜き枠を設定し、
ユーザからの指示に応じて、前記編集対象画像上に重畳された前記切り抜き枠内の画像を編集し、
前記編集対象画像から前記切り抜き枠内の画像を切り抜いて、切り抜き画像を生成する
ステップを含む画像処理方法。
（１７）
コンピュータを、
編集の対象となる編集対象画像の一部を切り抜くための切り抜き枠を設定する切り抜き枠設定部と、
ユーザからの指示に応じて、前記編集対象画像上に重畳された前記切り抜き枠内の画像を編集する画像編集部と、
前記編集対象画像から前記切り抜き枠内の画像を切り抜いて、切り抜き画像を生成する切り抜き画像生成部と
して機能させるためのプログラム。
【符号の説明】
【０１５３】
１０  タブレット端末装置，  １０１  制御部，  １０４  タッチパネル，  １５１  表示部，  １５２  タッチセンサ，  ２０１  切り抜き枠設定部，  ２０２  画像編集部，  ２０３  切り抜き画像生成部，  ２０４  表示制御部，  ２５１  切り抜き枠，  ２５２  円形ガイド，  ３００  コンピュータ，  ３１１  CPU，  Ａ，Ｂ，Ｃ，Ｄ  操作子
【図１】
2014217032.tif 000003
【図２】
2014217032.tif 000004
【図３】
2014217032.tif 000005
【図４】
2014217032.tif 000006
【図５】
2014217032.tif 000007
【図６】
2014217032.tif 000008
【図７】
2014217032.tif 000009
【図８】
2014217032.tif 000010
【図９】
2014217032.tif 000011
【図１０】
2014217032.tif 000012
【図１１】
2014217032.tif 000013
【図１２】
2014217032.tif 000014
【図１３】
2014217032.tif 000015
【図１４】
2014217032.tif 000016
【図１５】
2014217032.tif 000017
【図１６】
2014217032.tif 000018
【図１７】
2014217032.tif 000019
【図１８】
2014217032.tif 000020
【図１９】
2014217032.tif 000021